(57)【要約】【課題】撮影者の意図にあった撮影モードを設定する機会を撮影者に与え、撮影の失敗を未然に防止する。【解決手段】人物撮影を想定していない撮影条件を規定した撮影モードが設定されている場合、顔抽出部２０ａは、スルー画について、顔領域の抽出を行う。そして、少なくとも１つの顔領域が抽出されたか否かを判断する。少なくとも１つの顔領域が抽出された場合、表示制御部２０ｂは、ＯＳＤ信号発生回路１４８ａを制御し、人物撮影を想定していないモードで人物を撮影しようとしている旨の警告メッセージ、例えば「顔を検出しましたがこのままのモードで撮影してよいですか」などといったメッセージの映像信号を生成させる。そして、表示制御部２０ｂは、生成された警告メッセージの映像信号をスルー画と合成して、あるいはスルー画と合成せず単独でＬＣＤ１０２に出力し、表示させる。【選択図】  図６
2007295390.tif 000002
【特許請求の範囲】
【請求項１】
所望の被写体に応じた撮影条件を規定する撮影モードを設定する撮影モード設定部、被写体から撮影レンズを介して入射した光を受光して継続的に撮像信号に変換して出力する撮像素子、前記撮像素子から出力された撮像信号を画像データに変換して出力する画像データ変換部、前記画像データの記録指示を入力する記録指示部、前記記録指示部が前記記録指示の入力を受け付けたことに応じて前記撮像素子の露光を制御するシャッタ制御部、前記シャッタ制御部による露光の制御に応じて前記撮像素子から出力された撮像信号の画像データを記録する記録部、および少なくとも前記記録部に記録された画像データを表示する表示部を備える撮像装置であって、
前記画像データ変換部から出力された画像データに基づいて前記被写体の顔領域を検出する顔検出部と、
前記撮影モード設定部が人物を被写体とした撮影を想定している撮影条件を規定した撮影モードを設定しているか否かおよび前記顔検出部が少なくとも１つの顔領域を検出したか否かに応じ、所定の警告を前記表示部に再生する警告部と、
を備える撮像装置。
【請求項２】
前記警告部は、前記撮影モード設定部が人物を被写体とした撮影を想定していない撮影条件を規定した撮影モードを設定しておりかつ前記顔検出部が少なくとも１つの顔領域を検出した場合、所定の第１の警告を前記表示部に再生する請求項１に記載の撮像装置。
【請求項３】
前記警告部は、前記撮影モード設定部が人物を被写体とした撮影を想定した撮影条件を規定した撮影モードを設定しておりかつ前記顔検出部が顔領域を検出しない場合、所定の第２の警告を前記表示部に再生する請求項１または２に記載の撮像装置。
【請求項４】
所望の被写体に応じた撮影条件を規定する撮影モードを設定する撮影モード設定部、被写体から撮影レンズを介して入射した光を受光して継続的に撮像信号に変換して出力する撮像素子、前記撮像素子から出力された撮像信号を画像データに変換して出力する画像データ変換部、前記画像データの記録指示を入力する記録指示部、前記記録指示部が前記記録指示の入力を受け付けたことに応じて前記撮像素子の露光を制御するシャッタ制御部、前記シャッタ制御部による露光の制御に応じて前記撮像素子から出力された撮像信号の画像データを記録する記録部、および少なくとも前記記録部に記録された画像データを表示する表示部を備える撮像装置に用いられる警告方法であって、
前記画像データ変換部から出力された画像データに基づいて前記被写体の顔領域を検出するステップと、
前記撮影モード設定部が人物を被写体とした撮影を想定している撮影条件を規定した撮影モードを設定しているか否かおよび少なくとも１つの顔領域が検出されたか否かに応じ、所定の警告を前記表示部に再生するステップと、
を含む警告方法。
【発明の詳細な説明】
【技術分野】
【０００１】
本発明は顔検出を応用したカメラに関する。
【背景技術】
【０００２】
従来、顔検出の結果に応じて撮影モードを自動設定する技術が開発されている。例えば特許文献１によると、顔画像を検出することで自動的にポートレートモードへ移行するようにして、設定のし忘れによる撮影ミスを防止する。また特許文献２によると、被写体及び撮影シーンを認識して、複数の撮影モードの中から最適な撮影モードを自動的に設定する事によって、撮影者が特別な撮影知識を持たなくとも被写体やシーンにあった良好な写真を撮影する。また特許文献３によると、システム制御部は、被写体を撮影する撮像部の撮影準備動作時に被写体を撮影して得られる画像データから顔エリアを検出し、検出した顔エリアの中から、撮像部の撮影モードに応じた数の顔エリアを選択し、選択した顔エリアを利用して撮像部の撮影条件を決定する。
【特許文献１】特開２００３−９２６９９号公報
【特許文献２】特開２００３−３４４８９１号公報
【特許文献３】特開２００５−１５６９６７号公報
【発明の開示】
【発明が解決しようとする課題】
【０００３】
特許文献１〜３のいずれも、画角内に、撮影者が意図する対象が含まれているいないにかかわらず、単に顔検出の結果に応じて機械的に撮影モードが設定されてしまう。例えば、風景を画角に捉えて撮影しようとしているところ、画角内にたまたま通行人が入った場合、顔が検出されたことで自動的にポートレートモードに設定される。これは、風景を撮影しようとしている撮影者の意図に反し不都合である。
【０００４】
本発明はこのような問題点に鑑みてなされたもので、撮影者の意図にあった撮影モードを設定する機会を撮影者に与え、撮影の失敗を未然に防止することを目的とする。
【課題を解決するための手段】
【０００５】
本発明は、所望の被写体に応じた撮影条件を規定する撮影モードを設定する撮影モード設定部、被写体から撮影レンズを介して入射した光を受光して継続的に撮像信号に変換して出力する撮像素子、撮像素子から出力された撮像信号を画像データに変換して出力する画像データ変換部、画像データの記録指示を入力する記録指示部、記録指示部が記録指示の入力を受け付けたことに応じて撮像素子の露光を制御するシャッタ制御部、シャッタ制御部による露光の制御に応じて撮像素子から出力された撮像信号の画像データを記録する記録部、および少なくとも記録部に記録された画像データを表示する表示部を備える撮像装置に関する。
【０００６】
本発明に係る撮像装置は、画像データ変換部から出力された画像データに基づいて被写体の顔領域を検出する顔検出部と、撮影モード設定部が人物を被写体とした撮影を想定している撮影条件を規定した撮影モードを設定しているか否かおよび顔検出部が少なくとも１つの顔領域を検出したか否かに応じ、所定の警告を表示部に再生する警告部と、を備える。
【０００７】
この発明によると、人物撮影を想定していない撮影モードが設定されているにもかかわらず人物の顔が検出されたり、人物撮影を想定した撮影モードが設定されているにもかかわらず人物の顔が検出されなかったりすれば、所定の警告が再生される。これにより、撮影者は、不適切な撮影モードの設定について注意を喚起され、撮影対象に適した撮影モードに変更し、撮影の失敗を未然に防止できる。
【０００８】
警告部は、撮影モード設定部が人物を被写体とした撮影を想定していない撮影条件を規定した撮影モードを設定しておりかつ顔検出部が少なくとも１つの顔領域を検出した場合、所定の第１の警告を表示部に再生してもよい。
【０００９】
すなわち、人物撮影を想定していない撮影モードが設定されているにもかかわらず人物の顔が検出されれば、所定の第１の警告が再生される。これにより、撮影者は、人物撮影に適していない撮影モードを設定して人物を撮影しようとしていること、あるいは不適切な撮影モードの設定について注意を喚起され、人物撮影に適した撮影モードに変更し、人物撮影の失敗を防止できる。
【００１０】
警告部は、撮影モード設定部が人物を被写体とした撮影を想定した撮影条件を規定した撮影モードを設定しておりかつ顔検出部が顔領域を検出しない場合、所定の第２の警告を表示部に再生してもよい。
【００１１】
すなわち、人物撮影を想定した撮影モードが設定されているにもかかわらず人物の顔が検出されなければ、所定の第２の警告が再生される。これにより、撮影者は、人物撮影に適した撮影モードを設定しているにもかかわらず人物を撮影しようとしていないこと、あるいは不適切な撮影モードの設定について注意を喚起され、人物の抜けた失敗撮影を防止できる。
【００１２】
本発明に係る警告方法は、上記の撮像装置に用いられる。この方法は、画像データ変換部から出力された画像データに基づいて被写体の顔領域を検出するステップと、撮影モード設定部が人物を被写体とした撮影を想定している撮影条件を規定した撮影モードを設定しているか否かおよび少なくとも１つの顔領域が検出されたか否かに応じ、所定の警告を表示部に再生するステップと、を含む。
【発明の効果】
【００１３】
この発明によると、人物撮影を想定していない撮影モードが設定されているにもかかわらず人物の顔が検出されたり、人物撮影を想定した撮影モードが設定されているにもかかわらず人物の顔が検出されなかったりすれば、所定の警告が再生される。これにより、撮影者は、不適切な撮影モードの設定について注意を喚起され、撮影対象に適した撮影モードに変更し、撮影の失敗を未然に防止できる。
【発明を実施するための最良の形態】
【００１４】
以下、添付した図面を参照し本発明の好ましい実施の形態を説明する。
【００１５】
＜第１実施形態＞
図１は、本発明の好ましい実施形態に係るデジタルカメラ（以下カメラと略す）１００の正面図である。
【００１６】
カメラ１００の正面に配備されたレンズ鏡胴６０には、ズームレンズ１０１ａ及びフォーカスレンズ１０１ｂを含む撮影レンズ１０１が内蔵されており、ズームレンズ１０１ａを光軸方向に移動させることで焦点距離調節が行なわれるとともに、フォーカスレンズ１０１ｂを光軸方向に移動させることによりピント調節が行なわれる。
【００１７】
レンズ鏡胴６０は、カメラボディ１８０に沈胴した状態から、予め設定された最短焦点距離位置であるワイド端と最長焦点距離位置であるテレ端との間で進退することで、カメラボディ１８０から繰り出し、また収納される。この図では、レンズ鏡胴６０がカメラボディ１８０に沈胴した状態が示されている。
【００１８】
またカメラ１００には、非撮影時には撮影レンズ１０１の前面を覆って撮影レンズ１０１と外界とを遮ることで撮影レンズ１０１を保護する状態をつくり出すとともに、撮像時には撮像レンズを外界に露出するレンズカバー６１が設けられている。
【００１９】
レンズカバー６１は開閉自在な機構で構成されており、開放状態で撮影レンズ１０１の前面を覆い、閉鎖状態で撮影レンズ１０１の前面を外界に露出する。レンズカバー６１は電源スイッチ１２１のオン／オフに連動して開放／閉鎖される。この図ではレンズカバー６１は開放状態となっている。
【００２０】
カメラ１００の上面には、中央部分にレリーズスイッチ１０４の配備されたモードダイヤル１２３と電源スイッチ１２１とが配備されており、正面には、ストロボ１０５ａ、ＡＦ補助光ランプ１０５ｂ、セルフタイマランプ１０５ｃ等が配備されている。
【００２１】
図２はカメラ１００の背面図である。カメラ１００の背面には、ズームスイッチ１２７が配備されている。ズームスイッチ１２７のワイド（Ｗ）側を押すと、押し続けている間、レンズ鏡胴６０がワイド端（望遠）側に繰り出し、テレ（Ｔ）側の他方を押すと、押し続けている間、レンズ鏡胴６０がテレ端（広角）側に移動する。
【００２２】
カメラ１００の背面には、画像表示ＬＣＤ１０２、十字キー１２４、情報位置指定キー１２６等も設けられている。十字キー１２４は、上下左右がそれぞれ表示明るさ調節／セルフタイマ／マクロ撮影／ストロボ撮影を設定する操作系である。後述するが、十字キー１２４の下キーを押下することで、セルフタイマ回路８３の計時完了後にメインＣＰＵ２０がＣＣＤ１３２にシャッタ動作を行わせるセルフ撮影モードの設定を行える。
【００２３】
図３は第１実施形態に係るカメラ１００のブロック図である。カメラ１００にはユーザがこのカメラ１００を使用するときに種々の操作を行なうための操作部１２０が設けられている。この操作部１２０には、カメラ１００を作動させるための電源投入用の電源スイッチ１２１、オート撮影やマニュアル撮影等を選択するためのモードダイヤル１２３、各種のメニューの設定や選択あるいはズームを行なうための十字キー１２４、閃光発光用スイッチ１２５、および十字キー１２４で選択されたメニューの実行やキャンセル等を行なうための情報位置指定キー１２６が備えられている。
【００２４】
また、カメラ１００には、撮影画像や再生画像等を表示するための画像表示ＬＣＤ１０２と、操作の手助けを行なうための操作ＬＣＤ表示１０３が備えられている。
【００２５】
このカメラ１００にはレリーズスイッチ１０４が配備されている。このレリーズスイッチ１０４によって撮影の開始指示がメインＣＰＵ２０へと伝えられる。このカメラ１００では所定のメニュー画面によって撮影と再生との切り替えが自在になっている。また、カメラ１００には、コントラストＡＦ時に被写体に投光スポットを照射するための発光ダイオード（ＬＥＤ）からなるＡＦ補助光ランプ１０５ｂ、閃光を発光するストロボ１０５ａを有する閃光発光装置が配備されている。
【００２６】
また、カメラ１００には、撮影レンズ１０１と、絞り１３１と、撮影レンズ１０１および絞り１３１を経由して結像された被写体像をアナログの画像信号に変換する撮像素子であるＣＣＤセンサ１３２（以下ＣＣＤ１３２と略記する）とが備えられている。ＣＣＤ１３２は、ＣＣＤ１３２に照射された被写体光により発生した電荷を可変の電荷蓄積時間（露光期間）の間蓄積することにより画像信号を生成するものである。ＣＣＤ１３２からは、ＣＧ部１３６から出力される垂直同期信号ＶＤに同期したタイミングでフレーム毎の画像信号が順次出力される。
【００２７】
撮像素子にＣＣＤ１３２を用いた場合には、色偽信号やモアレ縞等の発生を防止するために、入射光内の不要な高周波成分を除去する光学的ローパスフィルタ１３２ａが配設されている。また、入射光内の赤外線を吸収若しくは反射して、長波長域で感度が高いＣＣＤセンサ１３２固有の感度特性を補正する赤外カットフィルタ１３２ｂが配設されている。光学的ローパスフィルタ１３２ａ及び赤外カットフィルタ１３２ｂの具体的な配設の態様は特に限定されない。
【００２８】
また、カメラ１００には、ＣＣＤセンサ１３２からのアナログ画像信号が表わす被写体像のホワイトバランスを合わせるとともにその被写体像の階調特性における直線の傾き（γ）を調節し、さらにアナログ画像信号を増幅する増幅率可変の増幅器を含む白バランス・γ処理部１３３が備えられている。
【００２９】
さらに、カメラ１００には、白バランス・γ処理部１３３からのアナログ信号をディジタルのＲ，Ｇ，Ｂ画像データにＡ／Ｄ変換するＡ／Ｄ変換部１３４と、そのＡ／Ｄ変換部１３４からのＲ，Ｇ，Ｂ画像データを格納するバッファメモリ１３５が備えられている。
【００３０】
Ａ／Ｄ変換部１３４によって得られたＲ，Ｇ，Ｂ画像データは、ＡＦ検出部１５０にも入力される。ＡＦ検出部１５０は、Ｒ，Ｇ，Ｂ画像データを１画面の所定の分割エリア毎にかつ同じ色成分毎に積算平均し、さらにフレームごとに、全エリアのＲ，Ｇ，Ｂ画像データの積算平均値Ｉｒ，Ｉｇ，Ｉｂを算出する。この積算平均値Ｉｒ，Ｉｇ，ＩｂをＲ，Ｇ，Ｂの可視光の受光量とする。
【００３１】
ただし、Ｒ，Ｇ，Ｂの可視光の受光量Ｉｒ，Ｉｇ，Ｉｂは、Ｒ、Ｇ、Ｂの可視光にそれぞれ感度を有するＣＣＤ１３２以外の受光センサ（図示せず）によって検出することも可能である。
【００３２】
また、カメラ１００には、ＣＧ（クロックジェネレータ）部１３６と、測光・測距用ＣＰＵ１３７と、充電・発光制御部１３８と、通信制御部１３９と、ＹＣ処理部１４０と、電源電池６８とが備えられている。
【００３３】
ＣＧ部１３６は、ＣＣＤセンサ１３２を駆動するための垂直同期信号ＶＤ，高速掃き出しパルスＰを含む駆動信号、白バランス・γ処理部１３３，Ａ／Ｄ変換部１３４を制御する制御信号、および通信制御部１３９を制御する制御信号を出力する。また、このＣＧ部１３６には、測光・測距用ＣＰＵ１３７からの制御信号が入力される。
【００３４】
測光・測距用ＣＰＵ１３７は、ズーム用モータ１１０、フォーカス用モータ１１１、絞り調節を行う絞り用モータ１１２を制御してズームレンズ１０１ａ、フォーカスレンズ１０１ｂ、絞り１３１をそれぞれ駆動することにより被写体までの距離の算出（測距）を行ない、ＣＧ部１３６および充電・発光制御部１３８を制御する。ズーム用モータ１１０、フォーカス用モータ１１１、絞り用モータ１１２の駆動は、モータドライバ６２によって制御され、モータドライバ６２の制御コマンドは、測光・測距用ＣＰＵ１３７あるいはメインＣＰＵ２０から送られる。
【００３５】
なお、ズームレンズ１０１ａ、フォーカスレンズ１０１ｂ、絞り１３１、ＡＦ補助光照射角の駆動源は、ズーム用モータ１１０、フォーカス用モータ１１１、絞り用モータ１１２のような各種モータに限定する必然性はなく、アクチュエータなどであってもよい。
【００３６】
測光・測距用ＣＰＵ１３７は、レリーズスイッチ１０４が半押し（Ｓ１オン）されると、ＣＣＤ１３２によって周期的（１／30秒から１／60秒ごと）に得られる画像データ（スルー画像）に基づいて被写体の明るさの測光（ＥＶ値の算出）を行う。
【００３７】
即ち、ＡＥ演算部１５１は、Ａ／Ｄ変換部１３４から出力されたＲ、Ｇ、Ｂの画像信号を積算し、その積算値を測光・測距用ＣＰＵ１３７に提供する。測光・測距用ＣＰＵ１３７は、ＡＥ演算部１５１から入力する積算値に基づいて被写体の平均的な明るさ（被写体輝度）を検出し、撮影に適した露出値（ＥＶ値）を算出する。
【００３８】
そして、測光・測距用ＣＰＵ１３７は、得られたＥＶ値に基づいて絞り１３１の絞り値（Ｆ値）及びＣＣＤ１３２の電子シャッタ（シャッタスピード）を含む露出値を所定のプログラム線図にしたがって決定する（ＡＥ動作）。
【００３９】
レリーズスイッチ１０４が全押し（Ｓ２オン）されると、測光・測距用ＣＰＵ１３７は、その決定した絞り値に基づいて絞り１３１を駆動し、絞り１３１の開口径を制御するとともに、決定したシャッタスピードに基づき、ＣＧ１３６を介してＣＣＤ１３２での電荷蓄積時間を制御する。
【００４０】
ＡＥ動作は、絞り優先ＡＥ，シャッタ速度優先ＡＥ，プログラムＡＥなどがあるが、いずれにおいても、被写体輝度を測定し、この被写体輝度の測光値に基づいて決められた露出値、すなわち絞り値とシャッタスピードとの組み合わせで撮影を行うことにより、適正な露光量で撮像されるように制御しており、面倒な露出決定の手間を省くことができる。
【００４１】
ＡＦ検出部１５０は、測光・測距ＣＰＵ１３７により選定された検出範囲に対応する画像データをＡ／Ｄ変換部１３４から抽出する。焦点位置を検出する方法は、合焦位置で画像データの高周波成分が最大振幅になるという特徴を利用して行う。ＡＦ検出部１５０は、抽出された画像データの高周波成分を１フィールド期間積分することにより、振幅値を算出する。ＡＦ検出部１５０は、測光・測距ＣＰＵ１３７がフォーカス用モータ１１１を駆動制御してフォーカスレンズ１０１ｂを可動範囲内、即ち無限遠側の端点（ＩＮＦ点）から至近側の端点（ＮＥＡＲ点）の間で移動させている間に順次振幅値の計算を実行し、最大振幅を検出した時に検出値を測光・測距ＣＰＵ１３７に送信する。
【００４２】
測光・測距ＣＰＵ１３７は、この検出値を取得して対応する合焦位置に、フォーカスレンズ１０１ｂを移動させるようにフォーカス用モータ１１１に指令を出す。フォーカス用モータ１１１は、測光・測距ＣＰＵ１３７の指令に応じてフォーカスレンズ１０１ｂを合焦位置に移動させる（ＡＦ動作）。
【００４３】
測光・測距用ＣＰＵ１３７は、メインＣＰＵ２０とのＣＰＵ間通信によってレリーズスイッチ１０４と接続されており、ユーザによりレリーズスイッチ１０４が半押しされた時に、この合焦位置の検出が行われる。また、測光・測距用ＣＰＵ１３７には、ズーム用モータ１１０が接続されており、メインＣＰＵ２０が、ズームスイッチ１２７によってユーザからのＴＥＬＥ方向又はＷＩＤＥ方向へのズームの指令を取得した場合に、ズーム用モータ１１０を駆動させることにより、ズームレンズ１０１ａをＷＩＤＥ端とＴＥＬＥ端との間で移動させる。
【００４４】
充電・発光制御部１３８は，ストロボ１０５ａを発光させるために電源電池６８からの電力の供給を受けて図示しない閃光発光用のコンデンサを充電したり、そのストロボ１０５ａの発光を制御する。
【００４５】
充電・発光制御部１３８は，電源電池６８の充電開始、レリーズスイッチ１０４の半押し・全押し操作信号等の各種の信号や、発光量、発光タイミングを示す信号をメインＣＰＵ２０や測光・測距ＣＰＵ１３７から取り込んだことに応じ、セルフタイマランプ（タリーランプ）１０５ｃやＡＦ補助光ランプ１０５ｂへの電流供給制御を行い、所望の発光量が所望のタイミングで得られるように制御する。
【００４６】
なお、セルフタイマランプ１０５ｃはＬＥＤで構成してもよく、ＡＦ補助光ランプ１０５ｂを構成するＬＥＤと共通にしてもよい。
【００４７】
メインＣＰＵ２０には、セルフタイマ回路８３が接続されている。メインＣＰＵ２０は、セルフ撮影モードが設定されている場合、レリーズスイッチ１０４の全押し信号に基づいて計時を行なう。この計時中に、メインＣＰＵ２０は測光・測距ＣＰＵ１３７を介し、残り時間に合わせて点滅速度をだんだんと早めながら、セルフタイマランプ１０５ｃを点滅させる。セルフタイマ回路８３は、計時完了後に計時完了信号をメインＣＰＵ２０に入力する。メインＣＰＵ２０は、計時完了信号に基づいて、ＣＣＤ１３２にシャッタ動作を実施させる。
【００４８】
通信制御部１３９には、通信ポート１０７が備えられており、この通信制御部１３９は、カメラ１００により撮影された被写体の画像信号をＵＳＢ端子が備えられたパーソナルコンピュータ等の外部装置に出力し、およびこのような外部装置からカメラ１００に画像信号を入力することにより、その外部装置との間のデータ通信を担うものである。また、このカメラ１００は、ロール状の写真フイルムに写真撮影を行なう通常のカメラが有するＩＳＯ感度８０，１００，２００，４００，１６００等に切り替える機能を模擬した機能を有し、ＩＳＯ感度４００以上に切り替えられた場合、白バランス・γ処理部１３３の増幅器の増幅率が所定の増幅率を越えた高増幅率に設定された高感度モードとなる。通信制御部１３９は、高感度モードでの撮影中は、外部装置との通信を停止する。
【００４９】
また、カメラ１００には、圧縮・伸長＆ＩＤ抽出部１４３と、Ｉ／Ｆ部１４４が備えられている。圧縮・伸長＆ＩＤ抽出部１４３は、バッファメモリ１３５に格納された画像データを、バスライン１４２を介して読み出して圧縮し、Ｉ／Ｆ部１４４を経由してメモリカード２００に格納する。また、圧縮・伸長＆ＩＤ抽出部１４３は、メモリカード２００に格納された画像データの読み出しにあたり、メモリカード２００固有の識別番号（ＩＤ）を抽出し、そのメモリカード２００に格納された画像データを読み出して伸長し、バッファメモリ１３５に格納する。
【００５０】
バッファメモリ１３５に格納されたＹ／Ｃ信号は、圧縮・伸長＆ＩＤ抽出部１４３によって所定のフォーマットに従って圧縮された後、Ｉ／Ｆ１４４を介してメモリカード２００のようなリムーバブルメディアないしハードディスク（ＨＤＤ）７５のような内蔵型大容量記憶媒体に所定の形式（例えばExif（Exchangeable Image File Format）ファイル）で記録される。ハードディスク（ＨＤＤ）７５へのデータ記録またはハードディスク（ＨＤＤ）７５からのデータの読込みは、メインＣＰＵ２０の指令に応じてハードディスクコントローラ７４によって制御される。
【００５１】
また、カメラ１００には、メインＣＰＵ２０と、ＥＥＰＲＯＭ１４６と、ＹＣ／ＲＧＢ変換部１４７と、表示用のドライバ１４８とが備えられている。メインＣＰＵ２０は、このカメラ１００全体の制御を行なう。ＥＥＰＲＯＭ１４６には、このカメラ１００固有の固体データやプログラム等が格納されている。ＹＣ／ＲＧＢ変換部１４７は、ＹＣ処理部１４０で生成されたカラー映像信号ＹＣを３色のＲＧＢ信号に変換して表示用のドライバ１４８を経由して画像表示ＬＣＤ１０２に出力する。
【００５２】
また、カメラ１００は、ＡＣ電源から電力を得るためのＡＣアダプタ４８と電源電池６８とが着脱可能な構成となっている。電源電池６８は充電可能な二次電池、例えばニカド電池、ニッケル水素電池、リチウムイオン電池で構成される。電源電池６８は使い切り型の一次電池、例えばリチウム電池、アルカリ電池で構成してもよい。電源電池６８は図示しない電池収納室に装填することにより、カメラ１００の各回路と電気的に接続される。
【００５３】
ＡＣアダプタ４８がカメラ１００に装填されＡＣ電源からＡＣアダプタ４８を介してカメラ１００に電力が供給される場合には、電源電池６８が電池収納室に装填されている場合であっても、優先的に当該ＡＣアダプタ４８から出力された電力がカメラ１００の各部に駆動用の電力として供給される。また、ＡＣアダプタ４８が装填されておらず、かつ電源電池６８が電池収納室に装填されている場合には、当該電源電池６８から出力された電力がカメラ１００の各部に駆動用の電力として供給される。
【００５４】
なお、図示しないが、カメラ１００には、電池収納室内に収納される電源電池６８とは別にバックアップ電池が設けられている。内蔵バックアップ電池には例えば専用の二次電池が用いられ、電源電池６８によって充電される。バックアップ電池は、電源電池６８の交換や取り外し等、電源電池６８が電池収納室に装填されていない場合、カメラ１００の基本機能に給電する。
【００５５】
即ち、電源電池６８又はＡＣアダプタ４８からの電源供給が停止すると、バックアップ電池がスイッチング回路（図示せず）によってＲＴＣ１５等に接続され、これらの回路に給電する。これにより、バックアップ電池２９が寿命に達しない限り、ＲＴＣ１５等の基本機能には、電源供給が間断なく継続する。
【００５６】
ＲＴＣ（Real Time Clock）１５は計時専用のチップであり、電源電池６８やＡＣアダプタ４８からの給電がオフされていてもバックアップ電池から電源供給を受けて継続的に動作する。
【００５７】
画像表示ＬＣＤ１０２には透過型又は半透過型の液晶パネル７１を背面側から照明するバックライト７０が配設されており、省電力モードの場合には、メインＣＰＵ２０によりそのバックライト７０の明るさ（輝度）がバックライトドライバ７２を介して制御され、バックライト７０の消費電力が低減されるようになっている。また、省電力モードは、操作部１２０の情報位置指定キー１２６を押して画像表示ＬＣＤ１０２にメニュー画面を表示させ、そのメニュー画面で所定の操作を行うことによってオン／オフを設定することができるようになっている。
【００５８】
図４は、モードダイヤル１２３を上面から見た図である。モードダイヤル１２３は、回動可能なダイヤル式のスイッチで構成されている。モードダイヤル１２３には、撮影シーンを直感的に認識可能なマークであるアイコンが印刷されている。モードダイヤル１２３は、図中矢印方向（時計回り又は反時計回り）に回転可能であり、撮影者は、撮影シーンに適したアイコンが位置合わせマーク９７の位置にくるようにモードダイヤル１２３を回転させることにより、撮影モードを選択することができる。
【００５９】
撮影モードの種類には、例えば、静止画を撮影する静止画の撮影モードと、動画を撮影する動画の撮影モードとがあり、更に静止画の撮影モードには、シャッタスピード、絞り値等の撮影条件を自動で設定するオートモード、それらの撮影条件の設定をマニュアルで行うマニュアルモード、人物撮影、風景撮影、スポーツ撮影、夜景撮影のように各撮影シーンに応じて適切なシャッタスピード、絞り値、露出値、ホワイトバランスその他の撮影条件に自動設定する各撮影モード（人物モード、ポートレート撮影モード、風景モード、スポーツモード、夜景モード）などがある。
【００６０】
この図では、アイコン１２３−１は、シャッタスピードと絞り値を自由に設定できるマニュアルモードに対応する。アイコン１２３−２は、動画を撮影する動画モードに対応する。アイコン１２３−３は、夜景を撮影するのに適した夜景モードに対応する。アイコン１２３−４は、スポーツシーン等の動きの速い被写体を撮影するのに適したスポーツモードに対応する。アイコン１２３−５は、風景を撮影するのに適した風景モードに対応する。アイコン１２３−６は、人物を撮影するのに適したポートレートモードに対応する。アイコン１２３−７は、様々な撮影シーンに適応した撮影が可能なオートモードに対応する。アイコン１２３−８は、シャッタスピード／絞り以外の各種設定ができるプログラムオートモードに対応する。アイコン１２３−９は、絞り値を設定できる絞り優先オートモードに対応する。アイコン１２３−１０は、シャッタスピードを設定できるシャッター優先オートモードに対応する。
【００６１】
これら各撮影モードのアイコン１２３−１〜１０を位置合わせマーク９７に合わせることで各撮影モードが設定される。撮影モードが設定されると、撮影モード毎に予め規定された撮影条件に基づいて撮影が行われるとともに、各モードに応じた画像処理が行われる。
【００６２】
例えば、ポートレート撮影モードでは、主要被写体となる人物がより目立つように、絞り１３１を開放側に設定して背景をぼかし、画像処理においては、肌色がきれいに出るように肌色の色補正が重点的に行われる。また、風景モードでは、色彩がきれいに出るように彩度を上げるとともに、コントラストを強くしたり、シャープネスを上げるなどの画像処理が施される。また、マクロ撮影モードでは、花や植物の撮影が多いと考えられるため、彩度を上げる処理が行われる。夜景モードでは、周囲が夜景等の暗い場所でストロボ１０５ａを発光しない状態で撮影を行なう場合に使用される。夜景モードでは、ＣＣＤ１３２のシャッタ速度が例えば１／６０秒よりも長い露光状態となる（ロングシャッタモード）。
【００６３】
ただし、モードダイヤル１２３によって撮影モードを設定する必然性はない。例えば、画像表示ＬＣＤ１０２に表示された撮影モードのメニューから十字キー１２４と情報位置指定キー１２６の操作によって任意の撮影モードを選択できるようにすることも可能である。あるいは、図示しない単一の撮影モードを設定／解除するような操作手段（マクロ撮影ボタン、セルフタイマボタン、フラッシュボタンなど）の操作によって撮影モードを設定してもよい。
【００６４】
また、撮影モードは上述したものに限定されず、その他の所望の撮影シーンに応じた撮影モードを設けてもよい。
【００６５】
図５は第１実施形態に係るメインＣＰＵ２０の実行するプログラムをブロック図で概念的に示している。メインＣＰＵ２０は、ＥＥＰＲＯＭ１４６やハードディスク７５等のコンピュータ読み取り可能な記憶媒体に記憶されたプログラムである顔抽出部２０ａおよび表示制御部２０ｂをＲＡＭ１４５等に読み出して実行する。これらをまとめて単にプログラムと呼ぶこともある。
【００６６】
顔抽出部２０ａは、バッファメモリ１３５に逐次記憶されるスルー画像もしくはメモリカード２００の画像から人物の顔部分を含む領域である顔領域を抽出する。顔領域の抽出方法としては、例えば本出願人による特開平９−１０１５７９号公報「顔領域抽出方法及び複写条件決定方法」において開示された技術を適用することができる。
【００６７】
この技術は、撮影した画像の各画素の色相が肌色の範囲に含まれるか否かを判定して肌色領域と非肌色領域とに分割すると共に、画像中のエッジを検出して画像中の各箇所をエッジ部分又は非エッジ部分に分類する。そして、肌色領域内に位置し非エッジ部分に分類された画素からなり、かつエッジ部分と判定された画素で囲まれた領域を顔候補領域として抽出し、抽出した顔候補領域が人物の顔に相当する領域かを判定し、この判定結果に基づき顔領域として抽出するものである。また、この他に、特開２００３−２０９６８３号公報や特開２００２−１９９２２１号公報に記載される方法で顔領域を抽出することもできる。
【００６８】
表示制御部２０ｂは、ドライバ１４８に内蔵されたＯＳＤ信号発生回路１４８ａに対し、シャッタ速度や絞り値、撮影可能枚数、撮影日時、警告メッセージ、グラフィカルユーザインターフェイス（ＧＵＩ）等の文字及び記号情報を表示するための信号を発生させるコマンドを送る。ＯＳＤ信号発生回路１４８ａから出力される信号は、必要に応じてＹＣ／ＲＧＢ変換部１４７からの画像信号に混合されて、液晶パネル７１に供給される。これにより、スルー画像や再生画像に文字等が合成された合成画像が表示される。
【００６９】
以下、図６のフローチャートを参照し、カメラ１００の実行する第１実施形態に係る撮像処理の流れを説明する。
【００７０】
Ｓ１では、メインＣＰＵ２０は、モードダイヤル１２３による撮影モードの設定状態を識別する。
【００７１】
Ｓ２では、電源スイッチ１２１のオンに連動してＬＣＤ１０２へのスルー画の表示を開始する。
【００７２】
Ｓ３では、メインＣＰＵ２０は、モードダイヤル１２３やメニュー画面等により、人物撮影を想定していない撮影条件を規定した撮影モード（ここでは一例として「風景モード」とする）が設定されているか否かを判断する。風景モードに設定されている場合はＳ４に移行し、風景モードに設定されていない場合はＳ７に移行する。
【００７３】
Ｓ４では、顔抽出部２０ａは、スルー画について、顔領域の抽出を行う。そして、少なくとも１つの顔領域が抽出されたか否かを判断する。少なくとも１つの顔領域が抽出された場合はＳ５に移行する。顔領域が１つも抽出されなかった場合はＳ６に移行する。
【００７４】
Ｓ５では、表示制御部２０ｂは、ＯＳＤ信号発生回路１４８ａを制御し、人物撮影を想定していないモードで人物を撮影しようとしている旨の第１の警告メッセージ、例えば「顔を検出しましたがこのままのモードで撮影してよいですか」などといったメッセージの映像信号を生成させる。そして、表示制御部２０ｂは、生成された第１の警告メッセージの映像信号をスルー画と合成して、あるいはスルー画と合成せず単独でＬＣＤ１０２に出力し、表示させる。ただし、警告メッセージの再生は映像に限定されず、音声であってもよい。
【００７５】
なお、当初から撮影対象として意図していない人物の顔（例えば風景撮影中にたまたま画角内に入った通行人の顔）が抽出されて第１の警告メッセージが表示されたような場合でも、そのまま無視してステップＳ７に進み、記録用画像の取得を行うことができる。
【００７６】
Ｓ６では、表示制御部２０ｂは、ＯＳＤ信号発生回路１４８ａを制御し、人物撮影を想定していない撮影条件を規定したモードで人物を撮影しようとしていない旨の第２の警告メッセージ、例えば「人物は検出されませんでした」などといったメッセージの映像信号を生成させる。そして、表示制御部２０ｂは、生成された第２の警告メッセージの映像信号をスルー画と合成して、あるいはスルー画と合成せず単独でＬＣＤ１０２に出力し、表示させる。ただし、第２の警告メッセージの表示は必須ではなく、Ｓ６を省略して第２の警告メッセージを表示せずにスルー画だけ表示してもよい。
【００７７】
Ｓ７では、ＣＰＵ２０は、レリーズスイッチ１０４が全押しされたことに応じ、ＣＣＤ１３２のシャッタ動作を制御し、記録用画像データの取得を行う。取得された画像データはＹ／Ｃ信号に変換され、ガンマ補正等の所定の処理が施された後、メモリカード２００（もしくはＨＤＤ７５）に格納される。記録用画像はＬＣＤ１０２に表示される。
【００７８】
以上の処理によると、撮影モードが人物撮影を想定していないものである場合、スルー画について顔抽出が実行され、顔領域が１つでも抽出されると、第１の警告メッセージが再生される。撮影者は、人物撮影に適していない撮影モードを設定して人物を撮影しようとしていること、あるいは不適切な撮影モードの設定について注意を喚起され、これに応じて人物撮影に適した撮影モードに変更するか、被写体を正しく捉えなおして、人物撮影の失敗を防止できる。
【００７９】
＜第２実施形態＞
図７は、本発明の好ましい第２の実施形態に係る撮像処理の流れを示すフローチャートである。
【００８０】
Ｓ１１、Ｓ１２、Ｓ１７はそれぞれ、第１実施形態のＳ１、Ｓ２、Ｓ７と同様である。
【００８１】
Ｓ１３では、メインＣＰＵ２０は、モードダイヤル１２３やメニュー画面等により、人物撮影を想定している撮影条件を規定する撮影モード（ここでは一例として「人物モード」とする）が設定されているか否かを判断する。人物モードに設定されている場合はＳ１４に移行し、人物モードに設定されていない場合はＳ１７に移行する。
【００８２】
Ｓ１４では、顔抽出部２０ａは、スルー画について、顔領域の抽出を行う。そして、少なくとも１つの顔領域が抽出されたか否かを判断する。少なくとも１つの顔領域が抽出された場合はＳ１６に移行する。顔領域が１つも抽出されなかった場合はＳ１５に移行する。
【００８３】
Ｓ１５では、表示制御部２０ｂは、ＯＳＤ信号発生回路１４８ａを制御し、人物撮影を想定しているモードで人物を撮影しようとしていない旨の第３の警告メッセージ、例えば「顔を検出できませんがこのモードのままで撮影してよいですか」などといったメッセージの映像信号を生成させる。そして、表示制御部２０ｂは、生成された第３の警告メッセージの映像信号をスルー画と合成して、あるいはスルー画と合成せず単独でＬＣＤ１０２に出力し、表示させる。
【００８４】
Ｓ１６では、表示制御部２０ｂは、ＯＳＤ信号発生回路１４８ａを制御し、人物撮影を想定しているモードで人物の顔を撮影しようとしている旨の第４の警告メッセージ、例えば「人物が検出されました」などといったメッセージの映像信号を生成させる。そして、表示制御部２０ｂは、生成された第４の警告メッセージの映像信号をスルー画と合成して、あるいはスルー画と合成せず単独でＬＣＤ１０２に出力し、表示させる。ただし、第４の警告メッセージの表示は必須ではなく、Ｓ１６を省略して第４の警告メッセージを表示せずにスルー画だけ表示してもよい。
【００８５】
以上の処理によると、撮影モードが人物撮影を想定しているものである場合、スルー画について顔抽出が実行され、顔領域が１つも抽出されないと、第３の警告メッセージが再生される。撮影者は、人物撮影に適した撮影モードを設定しているにもかかわらず人物を撮影しようとしていないこと、あるいは不適切な撮影モードの設定について注意を喚起され、これに応じて人物撮影に適した撮影モードに変更するか、被写体を正しく捉えなおして、人物の抜けた失敗撮影を防止できる。
【００８６】
＜その他の実施形態＞
第１実施形態に係る撮影処理または第２実施形態に係る撮影処理のいずれを実行するかを、操作部１２０から設定できるようにしてもよい。
【図面の簡単な説明】
【００８７】
【図１】デジタルカメラの正面図
【図２】デジタルカメラの背面図
【図３】デジタルカメラのブロック構成図
【図４】モードダイヤルの上面図
【図５】第１実施形態に係るメインＣＰＵの実行するプログラムを概念的に示した図
【図６】第１実施形態に係る撮影処理の流れを示すフローチャート
【図７】第２実施形態に係る撮影処理の流れを示すフローチャート
【符号の説明】
【００８８】
２０：メインＣＰＵ、８３：セルフタイマ回路、１０１：撮影レンズ、１０５ｃ：セルフタイマランプ、１３２：ＣＣＤ、１３４：Ａ／Ｄ変換部、１５０：ＡＦ検出部、１５１：ＡＥ演算部
【図１】
2007295390.tif 000003
【図２】
2007295390.tif 000004
【図３】
2007295390.tif 000005
【図４】
2007295390.tif 000006
【図５】
2007295390.tif 000007
【図６】
2007295390.tif 000008
【図７】
2007295390.tif 000009